(57)【要約】  【課題】  従来、遠隔地の二者間においては携帯電話機などの通信手段を用いて、通話やメールの交換などを行うことで情報伝達を行っている。しかし、通話やメールの交換などを行うことで情報伝達を行う手法においては、お互いの存在やぬくもりを身近に感じることは難しいといえる。  【解決手段】  本発明は、かかる実情に鑑み、送信側携帯電話機にて生成された非音声出力制御信号を受信側携帯電話機に送信することで、受信側携帯電話機を音声以外の手段にて制御させる携帯電話ぬくもりシステムを提案するものである。つまり、送信側携帯電話機のボタン操作や、送信側携帯電話機本体を握り締めたり振動を与えたりすることで、受信側携帯電話機のバイブレーション機能や、発光装置が作動する。【選択図】            図２
2005217824.tif 000002
【特許請求の範囲】
【請求項１】
送信側携帯電話機と、受信側携帯電話機とからなる携帯電話ぬくもりシステムであって、
前記送信側携帯電話機は、前記受信側携帯電話機の非音声出力装置を制御するための入力部と、
前記入力部への入力に基づいて前記受信側携帯電話機に対して非音声出力制御信号を生成する非音声出力制御信号生成部と、
前記非音声出力制御信号生成部で生成された非音声出力制御信号を送信するための非音声出力制御信号送信部と、
を有し、
前記受信側携帯電話機は、前記非音声出力制御信号を受信するための非音声出力制御信号受信部と、
前記非音声出力制御信号受信部で受信した非音声出力制御信号に基づいて制御される非音声出力部と、
を有する
携帯電話ぬくもりシステム。
【請求項２】
前記非音声出力制御信号は、携帯電話の非音声出力であるバイブレーション出力を制御するための信号である請求項１に記載の携帯電話ぬくもりシステム。
【請求項３】
前記非音声出力制御信号は、携帯電話の非音声出力である光出力を制御するための信号である請求項１に記載の携帯電話ぬくもりシステム。
【請求項４】
前記送信側携帯電話機の前記入力部は、前記非音声出力の強度を制御するための非音声出力強度制御信号を生成するための入力手段である強度入力手段を有し、
前記非音声出力制御信号生成部は、前記入力部の強度入力手段の入力に基づいて前記受信側携帯電話機の非音声出力の強度を制御するための非音声出力強度制御信号を生成する非音声出力強度制御信号生成手段を有し、
前記非音声出力制御信号送信部は、前記非音声出力強度制御信号生成手段で生成された非音声出力強度制御信号を送信する非音声出力強度制御信号送信手段を有し、
前記受信側携帯電話機の前記非音声出力制御信号受信部は、前記非音声出力強度制御信号を受信する非音声出力強度制御信号受信手段を有し、
非音声出力部は、前記非音声出力強度制御信号受信手段で受信した非音声出力強度制御信号に基づいて前記非音声出力の強度を制御する非音声出力強度制御手段を有する請求項１から３のいずれか一に記載の携帯電話ぬくもりシステム。
【請求項５】
前記強度入力手段は、圧力センサ器を有し、
前記非音声出力強度制御信号生成手段は、前記圧力センサ器で感知する圧力の大きさに応じて前記非音声出力の強度が大きくなる非音声出力強度制御信号を生成する請求項４に記載の携帯電話ぬくもりシステム。
【請求項６】
前記強度入力手段は、振動センサ器を有し、
前記非音声出力強度制御信号生成手段は、前記振動センサ器で感知する圧力の大きさに応じて前記非音声出力の強度が大きくなる非音声出力強度制御信号を生成する請求項４に記載の携帯電話ぬくもりシステム。
【請求項７】
前記振動センサ器は、着信バイブレータ用モータである請求項６に記載の携帯電話ぬくもりシステム。
【請求項８】
送信側携帯電話機と、受信側携帯電話機とからなる携帯電話ぬくもりシステムによる処理方法であって、
前記送信側携帯電話機による処理は、前記受信側携帯電話機の非音声出力装置を制御するための処理を行う入力ステップと、
前記入力ステップへの入力に基づいて前記受信側携帯電話機に対して非音声出力制御信号を生成する非音声出力制御信号生成ステップと、
前記非音声出力制御信号生成ステップにて生成された非音声出力制御信号を送信するための処理を行う非音声出力制御信号送信ステップと、
からなり、
前記受信側携帯電話機による処理は、非音声出力制御信号を受信するための処理を行う非音声出力制御信号受信ステップと、
前記非音声出力制御信号受信ステップにて受信した非音声出力制御信号に基づいて制御される非音声出力ステップと、
からなる携帯電話ぬくもりシステムによる処理方法。
【発明の詳細な説明】
【技術分野】
【０００１】
本発明は、携帯電話機等を用いて、送信側と受信側が通話以外の方法でお互いの存在やぬくもりを感じることのできるシステムに関するものである。
【背景技術】
【０００２】
従来、遠隔地の二者間においては携帯電話機などの通信手段を用いて、通話やメールの交換などを行うことで情報伝達を行っている。
【０００３】
一方、送信側が自身の感情を所定のボタンの押下などによって、受信側に伝えるシステムは存在する（特許文献１参照）。このとき送信側は、受信側の携帯電話機に対して、効果音などの音声出力や、表示画面に文字や写真などを表示させる画像出力などの手段を用いて感情を伝達する。
【０００４】
【特許文献１】特開２００２−３７４３６６号公報
【発明の開示】
【発明が解決しようとする課題】
【０００５】
しかしながら、通話やメールの交換などを行うことで情報伝達を行う手法においては、お互いの存在やぬくもりを身近に感じることは難しいといえる。
【０００６】
また、送信側が自身の感情を所定のボタンの押下などによって受信側に伝える手法においては、上記通話やメールでの通信に付随して送信側の感情の伝達を補うにとどまり、依然お互いの存在やぬくもりを伝達することは不十分であるといえる。
【課題を解決するための手段】
【０００７】
本発明は、かかる実情に鑑み、送信側携帯電話機にて生成された非音声出力制御信号を受信側携帯電話機に送信することで、受信側携帯電話機を音声以外の手段にて制御させる携帯電話ぬくもりシステムを提案するものである。つまり、送信側携帯電話機には受信側携帯電話機の非音声出力装置を制御するための入力部が備えられており、入力部の入力に応じて非音声出力制御信号が生成される。ここで入力手段には、ボタン操作の他に、圧力センサ器や振動センサ器が含まれる場合がある。またこのとき、感知する圧力や振動の大きさに応じて非音声出力の強度が大きな非音声出力制御信号を生成するとしてもよい。
【０００８】
さらに、非音声出力制御信号を受信した受信側携帯電話機においては、受信した非音声出力制御信号に基づいて制御される。このとき非音声出力制御信号は、携帯電話の非音声出力であるバイブレーション出力を制御するための信号や、光出力を制御するための信号などが該当する。すなわち、送信側携帯電話機のボタン操作や、送信側携帯電話機本体を握り締めたり振動を与えたりすることで、受信側携帯電話機のバイブレーション機能や、発光装置が作動する。
【発明の効果】
【０００９】
以上、説明したように本発明の携帯電話ぬくもりシステムでは、送信側携帯電話機にて受信側携帯電話機を制御することにより、相互に自身の存在やぬくもりを伝達することができる。また、送信側と受信側でともに同じ時間を共有していることを感じることができる。さらに、バイブレーション出力や、光出力によれば、音声を聞き取りにくい場所においてもコミュニケーションを図ることができる。
【００１０】
また、出力強度を制御できることで送信側携帯電話機の利用者の意思や感情をより正確、直接的に伝達することが可能となる。
【発明を実施するための最良の形態】
【００１１】
以下に、各発明を実施するための最良の形態を説明する。なお、本発明はこれら実施の形態に何ら限定されるものではなく、その要旨を逸脱しない範囲において、種々なる態様で実施しうる。
【００１２】
実施形態１は、主に請求項１、８などについて説明する。
【００１３】
実施形態２は、主に請求項２などについて説明する。
【００１４】
実施形態３は、主に請求項３などについて説明する。
【００１５】
実施形態４は、主に請求項４などについて説明する。
【００１６】
実施形態５は、主に請求項５などについて説明する。
【００１７】
実施形態６は、主に請求項６などについて説明する。
【００１８】
実施形態７は、主に請求項７などについて説明する。
【００１９】
<<実施形態１>>
【００２０】
<実施形態１：概要>  実施形態１について説明する。本実施形態は、送信側携帯電話機にて生成された非音声出力制御信号を受信側携帯電話機に送信することで、受信側携帯電話機を音声以外の手段にて制御させる携帯電話ぬくもりシステムである。
【００２１】
図１は、本実施形態の概念の一例を示す図である。本実施形態の携帯電話ぬくもりシステムは、送信側携帯電話機と、受信側携帯電話機とからなる。まず、受信側携帯電話機の非音声出力装置を制御するために、図左側に示した送信側携帯電話機から入力を行う（１）。図ではボタン操作をする場面を示したが、これに限定されるものではない。送信側携帯電話機では、この入力に基づいて、受信側携帯電話機に対して非音声出力制御信号を生成する（２）。さらに、送信側携帯電話機は、生成された非音声出力制御信号を送信する（３）。
【００２２】
一方、受信側携帯電話機では、送信側携帯電話機から送信された非音声出力制御信号を受信する（４）。受信側携帯電話機では、受信した非音声出力制御信号に基づいて制御される。図では、一例として受信側携帯電話機がバイブレーション機能により振動している場面を示した。
【００２３】
本実施形態の携帯電話ぬくもりシステムは、送信側携帯電話機にて受信側携帯電話機を制御することにより、相互に自身の存在やぬくもりを伝達することを目標とする。
【００２４】
<実施形態１：構成>  本実施形態での機能ブロックの一例を図２に示した。
【００２５】
図２に示す本実施形態の「携帯電話ぬくもりシステム」（０２００）は、「送信側携帯電話機」（０２１０）と、「受信側携帯電話機」（０２２０）とからなる。さらに、送信側携帯電話機（０２１０）は、「入力部」（０２１１）と、「非音声出力制御信号生成部」（０２１２）と、「非音声出力制御信号送信部」（０２１３）とを有し、受信側携帯電話機（０２２０）は、「非音声出力制御信号」（０２２１）と、「非音声出力部」（０２２２）とを有する。
【００２６】
本件発明の構成要素である各部は、ハードウエア、ソフトウエア、ハードウエアとソフトウエアの両者、のいずれかによって構成される。たとえば、これらを実現する一例として、コンピュータを利用する場合には、ＣＰＵ、メモリ、バス、インターフェイス、周辺装置などから構成されるハードウエアと、これらのハードウエア上にて実行可能なソフトウエアを挙げることができる。
【００２７】
具体的には、メモリ上に展開されたプログラムを順次実行することで、メモリ上のデータや、インターフェイスを介して入力されるデータの加工、蓄積、出力などにより各部の機能が実現される。（本明細書の全体を通じて同様である。）
【００２８】
まず、「送信側携帯電話機」（０２１０）は、相手の携帯電話機の非音声出力装置を制御する携帯電話機であり、一方、「受信側携帯電話機」（０２２０）は、相手からの制御を受ける携帯電話機である。ただし、「送信側」、「受信側」とは便宜上二者を区別するための名称であり、いずれの携帯電話機においても双方向の通信が可能であることが望ましい。
【００２９】
なお、送信側携帯電話機が、受信側携帯電話機の非音声出力装置を制御するのに先立ち、双方で携帯電話ぬくもりシステムを実行できる環境にする必要がある。これは、本携帯電話ぬくもりシステムを実行できるプログラムを双方の携帯電話機が取得しておくことで実現できる。例えば、このプログラムに相手側の携帯電話機の電話番号等を入力することで、相手側の携帯電話機で対応するプログラムが起動し、接続が確立する。その後は、相互に携帯電話ぬくもりシステムを用いて以下の処理の実行が可能となる。
【００３０】
まず、送信側携帯電話機（０２１０）について述べる。
【００３１】
「入力部」（０２１１）は、受信側携帯電話機（０２２０）の非音声出力装置を制御するための処理を行う。入力手段としては、ボタン操作、ボタンの押し方（長押し、押す速さなど）の他、送信側携帯電話機を握り締める等して圧力を加える、あるいは、送信側携帯電話機を揺する等して振動を加えることなどが該当する。入力手段については、実施形態５、６などにて詳述する。
【００３２】
送信側携帯電話機にてこれら入力を行うことで、受信側携帯電話機を制御することができ、相互に自身の存在やぬくもりを伝達することを目標とする。
【００３３】
「非音声出力制御信号生成部」（０２１２）は、前記入力部（０２１１）への入力に基づいて前記受信側携帯電話機（０２２０）に対して非音声出力制御信号を生成する。「非音声出力制御信号」は、音声出力以外の出力方法にて、受信側携帯電話機を制御するための信号である。非音声出力制御信号には、出力手段（例えば、光出力など）、出力方法（例えば、アンテナ部分の点滅など）、出力強度（例えば、強など）、出力時間（例えば、点滅５サイクルなど）、受信側携帯電話機の識別番号（例えば、電話番号など）等が含まれる場合がある。
【００３４】
また、非音声出力制御信号の生成は、入力部（０２１１）への入力に基づいて行われ、例えばボタン操作ごとに上記非音声出力制御信号に含まれる各要素が特定できるとしてもよい。
【００３５】
「非音声出力制御信号送信部」（０２１３）は、前記非音声出力制御信号生成部（０２１２）で生成された非音声出力制御信号を送信するための処理を行う。非音声出力制御信号は受信側携帯電話機に対して送信される。
【００３６】
次に、受信側携帯電話機（０２２０）について述べる。
【００３７】
「非音声出力制御信号」（０２２１）は、前記非音声出力制御信号を受信するための処理を行う。送信側携帯電話機の非音声出力制御信号送信部（０２１３）から送信された非音声出力制御信号を受信する。
【００３８】
「非音声出力部」（０２２２）は、前記非音声出力制御信号受信部（０２２１）で受信した非音声出力制御信号に基づいて制御される。非音声出力には、バイブレーション機能による振動や、発光装置（アンテナ部、着信表示ランプ、液晶表示部、ボタンなど）の発光、液晶表示画面への画像や文字の表示、携帯電話機本体の発熱などが該当し、いずれか一又は二以上の組み合わせにより制御される場合もある。
【００３９】
液晶表示画面への表示については、アニメキャラクターを表示し、非音声出力制御信号にてそのキャラクターに対して感情の表現（喜怒哀楽など）を指示することができるとしてもよい。
【００４０】
また、非音声出力は、通話を開始する前（受話器をあげる前）に行われるとしてもよいし、通話の開始後に行われるとしてもよい。このとき、非音声出力は、会話の音声出力を妨げるものではなく、非音声出力と音声出力が同時に出力される場合もある。
【００４１】
<実施形態１：処理の流れ>
【００４２】
図３は、実施形態１での処理の流れの一例を示したものである。本実施形態の携帯電話ぬくもりシステムは、送信側携帯電話機における処理と、受信側携帯電話機における処理からなる。以下に、これらの処理の流れをステップごとに示す。
【００４３】
まず、送信側携帯電話機における処理の流れを示す。最初に、受信側携帯電話機の非音声出力装置を制御するための処理を行う（入力ステップ  Ｓ０３０１）。次に、入力ステップ（Ｓ０３０１）への入力に基づいて前記受信側携帯電話機に対して非音声出力制御信号を生成する（非音声出力制御信号生成ステップ  Ｓ０３０２）。最後に、非音声出力制御信号生成ステップ（Ｓ０３０２）にて生成された非音声出力制御信号を送信するための処理を行う（非音声出力制御信号送信ステップ  Ｓ０３０３）。
【００４４】
一方、受信側携帯電話機における処理の流れを示す。まず、非音声出力制御信号送信ステップ（Ｓ０３０３）にて送信された非音声出力制御信号を受信するための処理を行う（非音声出力制御信号受信ステップ  Ｓ０３０４）。次に、非音声出力制御信号受信ステップ（Ｓ０３０４）にて受信した非音声出力制御信号に基づいて制御される（非音声出力ステップ  Ｓ０３０５）。
【００４５】
以上の処理は、計算機に実行させるためのプログラムで実行することができ、また、このプログラムを計算機によって読み取り可能な記録媒体に記録することができる。（本明細書の全体を通して同様である。）
【００４６】
<実施形態１：効果>
【００４７】
本実施形態は、送信側携帯電話機にて生成された非音声出力制御信号を受信側携帯電話機に送信することで、受信側携帯電話機を音声以外の手段にて制御させる携帯電話ぬくもりシステムである。本システムは、送信側携帯電話機にて受信側携帯電話機を制御することにより、相互に自身の存在やぬくもりを伝達することができる。
【００４８】
<<実施形態２>>
【００４９】
<実施形態２：概要>  実施形態２について説明する。本実施形態は、非音声出力制御信号は、携帯電話の非音声出力であるバイブレーション出力を制御するための信号であることに特徴を有する携帯電話ぬくもりシステムである。
【００５０】
<実施形態２：構成>  本実施形態での機能ブロックは図２に示したものと同様である。
【００５１】
図２に示す「携帯電話ぬくもりシステム」（０２００）は、「送信側携帯電話機」（０２１０）と、「受信側携帯電話機」（０２２０）とからなる。さらに、送信側携帯電話機（０２１０）は、「入力部」（０２１１）と、「非音声出力制御信号生成部」（０２１２）と、「非音声出力制御信号送信部」（０２１３）とを有し、受信側携帯電話機（０２２０）は、「非音声出力制御信号」（０２２１）と、「非音声出力部」（０２２２）とを有する。
【００５２】
「非音声出力制御信号生成部」（０２１２）は、前記入力部（０２１１）への入力に基づいて前記受信側携帯電話機（０２２０）に対して非音声出力制御信号を生成する。ここで、非音声出力制御信号は、携帯電話の非音声出力であるバイブレーション出力を制御するための信号である。非音声出力制御信号には、バイブレーション機能による出力手段を示す情報の他、出力方法（例えば、連続的バイブレーションあるいは間欠的バイブレーションなど）、出力強度（例えば、強など）、出力時間（例えば、５秒間など）、受信側携帯電話機の識別番号（例えば、電話番号など）等が含まれる場合がある。
【００５３】
また、受信側携帯電話機に利用者の心拍を取得する装置が内蔵されており、送信側携帯電話機に対して受信側携帯電話機の利用者の鼓動をバイブレーションの振動にて伝えるとしてもよい。
【００５４】
その他各部の処理は実施形態１と同様である。
【００５５】
<実施形態２：効果>
【００５６】
本実施形態は、非音声出力制御信号は、携帯電話の非音声出力であるバイブレーション出力を制御するための信号であることに特徴を有する。本システムは、送信側携帯電話機にて受信側携帯電話機のバイブレーション出力を制御することによって、より自身の存在を示すことができる。また、送信側と受信側でともに同じ時間を共有していることを感じることができる。さらに、バイブレーション出力によれば、音声を聞き取りにくい場所においてもコミュニケーションを図ることができる。
【００５７】
<<実施形態３>>
【００５８】
<実施形態３：概要>  実施形態３について説明する。本実施形態は、非音声出力制御信号は、携帯電話の非音声出力である光出力を制御するための信号であることに特徴を有する携帯電話ぬくもりシステムである。
【００５９】
<実施形態３：構成>  本実施形態での機能ブロックは図２に示したものと同様である。
【００６０】
図２に示す「携帯電話ぬくもりシステム」（０２００）は、「送信側携帯電話機」（０２１０）と、「受信側携帯電話機」（０２２０）とからなる。さらに、送信側携帯電話機（０２１０）は、「入力部」（０２１１）と、「非音声出力制御信号生成部」（０２１２）と、「非音声出力制御信号送信部」（０２１３）とを有し、受信側携帯電話機（０２２０）は、「非音声出力制御信号」（０２２１）と、「非音声出力部」（０２２２）とを有する。
【００６１】
「非音声出力制御信号生成部」（０２１２）は、前記入力部（０２１１）への入力に基づいて前記受信側携帯電話機（０２２０）に対して非音声出力制御信号を生成する。ここで、非音声出力制御信号は、携帯電話の非音声出力である光出力を制御するための信号である。非音声出力制御信号には、発光機能による出力手段を示す情報の他、出力方法（例えば、アンテナ部分の点滅など）、出力強度（例えば、強など）、出力時間（例えば、点滅５サイクルなど）、受信側携帯電話機の識別番号（例えば、電話番号など）等が含まれる場合がある。
【００６２】
「非音声出力部」（０２２２）は、非音声出力制御信号に基づいて制御される。ここでは、非音声出力には、アンテナ部、着信表示ランプ、液晶表示部、ボタンなどの発光装置の発光などが該当し、いずれか一又は二以上の組み合わせにより制御される場合もある。
【００６３】
その他各部の処理は実施形態１と同様である。
【００６４】
<実施形態３：効果>
【００６５】
本実施形態は、非音声出力制御信号は、携帯電話の非音声出力である光出力を制御するための信号であることに特徴を有する。本システムは、送信側携帯電話機にて受信側携帯電話機の光出力を制御することによって、より自身の存在やぬくもりを示すことができる。また、送信側と受信側でともに同じ時間を共有していることを感じることができる。さらに、光出力によれば、相手からの励まし、慰めなどの感情を受け入れやすくなる効果が期待できる。
【００６６】
<<実施形態４>>
【００６７】
<実施形態４：概要>  実施形態４について説明する。本実施形態は、送信側携帯電話機にて生成された非音声出力の強度を制御するための非音声出力強度制御信号を受信側携帯電話機に送信することで、受信側携帯電話機の非音声出力の強度を制御することに特徴を有する携帯電話ぬくもりシステムである。
【００６８】
<実施形態４：構成>  本実施形態での機能ブロックの一例を図４に示す。
【００６９】
図４に示す本実施形態の「携帯電話ぬくもりシステム」（０４００）は、「送信側携帯電話機」（０４１０）と、「受信側携帯電話機」（０４２０）とからなる。一方、送信側携帯電話機（０４１０）は、「入力部」（０４１１）と、「非音声出力制御信号生成部」（０４１２）と、「非音声出力制御信号送信部」（０４１３）とを有し、さらに、入力部（０４１１）は「強度入力手段」（０４１４）を、非音声出力制御信号生成部（０４１２）は「非音声出力強度制御信号生成手段」（０４１５）を、非音声出力制御信号送信部（０４１３）は「非音声出力強度制御信号送信手段」（０４１６）を有する。他方、受信側携帯電話機（０４２０）は、「非音声出力制御信号」（０４２１）と、「非音声出力部」（０４２２）とを有し、さらに、非音声出力制御信号（０４２１）は「非音声出力強度制御信号受信手段」（０４２３）を、非音声出力部（０４２２）は「非音声出力強度制御手段」（０４２４）を有する。
【００７０】
まず、送信側携帯電話機（０４１０）について述べる。
【００７１】
「強度入力手段」（０４１４）は、非音声出力の強度を制御するための非音声出力強度制御信号を生成するための処理を行う。非音声出力の強度とは、バイブレーション出力や、光出力の強さの度合いを示すもので、弱、中、強の段階の他に、徐々に弱から強へ推移などのような変化を伴う出力手段が含まれる場合もある。強度入力手段では、非音声出力強度制御信号を生成するために、非音声出力の強度を特定することが可能な上記要素の入力を行う。
【００７２】
「非音声出力強度制御信号生成手段」（０４１５）は、入力部（０４１１）の強度入力手段（０４１４）の入力に基づいて前記受信側携帯電話機の非音声出力の強度を制御するための非音声出力強度制御信号を生成する。非音声出力強度制御信号の生成は、強度入力手段（０４１４）への入力に基づいて行われ、例えばボタン操作ごとに非音声出力の強度が特定できるとしてもよい。なお、非音声出力強度制御信号は、実施形態１における非音声出力制御信号に含まれる下位概念である。
【００７３】
「非音声出力強度制御信号送信手段」（０４１６）は、前記非音声出力強度制御信号生成手段（０４１５）で生成された非音声出力強度制御信号を送信する。非音声出力制御信号は受信側携帯電話機に対して送信される。
【００７４】
次に、受信側携帯電話機（０４２０）について述べる。
【００７５】
「非音声出力強度制御信号受信手段」（０４２３）は、前記非音声出力強度制御信号を受信する。送信側携帯電話機の非音声出力強度制御信号送信手段（０４１６）から送信された非音声出力強度制御信号を受信する。
【００７６】
「非音声出力強度制御手段」（０４２４）は、前記非音声出力強度制御信号受信手段（０４２３）で受信した非音声出力強度制御信号に基づいて前記非音声出力の強度を制御する。非音声出力には、バイブレーション機能による振動や、発光装置（アンテナ部、着信表示ランプ、液晶表示部、ボタンなど）の発光、携帯電話機本体の発熱などのうち、いずれか一又は二以上の組み合わせにより制御されるが、これらの出力は非音声出力強度制御信号に基づいてその出力強度が制御される。
【００７７】
また、複数の非音声出力が同時に行われる場合には、一の出力の出力強度と他の出力の出力強度とが連動せず、別個に出力されるとしてもよい。例えば、バイブレーション機能は弱の状態で振動し、一方アンテナ部分の発光は徐々に弱から強へ推移しながら点滅する等してもよい。
【００７８】
<実施形態４：処理の流れ>
【００７９】
図５は、実施形態４での処理の流れの一例を示したものである。本実施形態の携帯電話ぬくもりシステムは、送信側携帯電話機における処理と、受信側携帯電話機における処理からなる。以下に、これらの処理の流れをステップごとに示す。
【００８０】
まず、送信側携帯電話機における処理の流れを示す。最初に、受信側携帯電話機の非音声出力の強度を制御するための非音声出力強度制御信号を生成するための入力処理を行う（強度入力ステップ  Ｓ０５０１）。次に、強度入力ステップ（Ｓ０５０１）への入力に基づいて前記受信側携帯電話機の非音声出力の強度を制御するための非音声出力強度制御信号を生成する（非音声出力強度制御信号生成ステップ  Ｓ０５０２）。最後に、非音声出力強度制御信号生成ステップ（Ｓ０５０２）にて生成された非音声出力強度制御信号を送信するための処理を行う（非音声出力強度制御信号送信ステップ  Ｓ０５０３）。
【００８１】
一方、受信側携帯電話機における処理の流れを示す。まず、非音声出力強度制御信号送信ステップ（Ｓ０５０３）にて送信された非音声出力強度制御信号を受信するための処理を行う（非音声出力強度制御信号受信ステップ  Ｓ０５０４）。次に、非音声出力強度制御信号受信ステップ（Ｓ０５０４）にて受信した非音声出力強度制御信号に基づいて非音声出力の強度を制御する（非音声出力強度制御ステップ  Ｓ０５０５）。
【００８２】
<実施形態４：効果>
【００８３】
本実施形態は、非音声出力制御信号は、送信側携帯電話機にて生成された非音声出力の強度を制御するための非音声出力強度制御信号を受信側携帯電話機に送信することで、受信側携帯電話機の非音声出力の強度を制御することに特徴を有する。本システムは、送信側携帯電話機にて受信側携帯電話機の出力強度を制御することによって、より自身の存在を示すことができる。また、送信側と受信側でともに同じ時間を共有していることを感じることができる。さらに、出力強度を制御できることで送信側携帯電話機の利用者の意思や感情をより正確に伝達することが可能となる。
【００８４】
<<実施形態５>>
【００８５】
<実施形態５：概要>  実施形態５について説明する。本実施形態は、送信側携帯電話機の有する圧力センサ器の感知する圧力の大きさに応じて、受信側携帯電話機にて非音声出力の強度が制御されることに特徴を有する携帯電話ぬくもりシステムである。
【００８６】
<実施形態５：構成>  本実施形態での機能ブロックの一例を図６に示す。
【００８７】
図６に示す本実施形態の「携帯電話ぬくもりシステム」（０６００）は、「送信側携帯電話機」（０６１０）と、「受信側携帯電話機」（０６２０）とからなる。一方、送信側携帯電話機（０６１０）は、「入力部」（０６１１）と、「非音声出力制御信号生成部」（０６１２）と、「非音声出力制御信号送信部」（０６１３）とを有し、入力部（０６１１）は「強度入力手段」（０６１４）を、非音声出力制御信号生成部（０６１２）は「非音声出力強度制御信号生成手段」（０６１５）を、非音声出力制御信号送信部（０６１３）は「非音声出力強度制御信号送信手段」（０６１６）を有し、さらに、強度入力手段（０６１４）は「圧力センサ器」（０６１７）を有する。他方、受信側携帯電話機（０６２０）は、「非音声出力制御信号」（０６２１）と、「非音声出力部」（０６２２）とを有し、非音声出力制御信号（０６２１）は「非音声出力強度制御信号受信手段」（０６２３）を、非音声出力部（０６２２）は「非音声出力強度制御手段」（０６２４）を有する。
【００８８】
「圧力センサ器」（０６１７）は、圧力を感知してその強度を計測する。圧力センサ器は、携帯電話機の本体に内蔵されている場合などが想定される。携帯電話機を握り締める、フリップを閉じる、折りたたみ式の携帯電話機を折りたたむなどすることで圧力センサ器が圧力を感知する場合がある。
【００８９】
「非音声出力強度制御信号生成手段」（０６１５）は、前記圧力センサ器（０６１７）で感知する圧力の大きさに応じて前記非音声出力の強度が大きくなる非音声出力強度制御信号を生成する。つまり、送信側携帯電話機の圧力センサ器が強い圧力を感知するほど、受信側携帯電話機では高い強度にて非音声出力が制御される。例えば、送信側携帯電話機を強く握り締めるほど、受信側携帯電話機では強い振動のバイブレーション機能が作用する。図７に、上記一例を模式的に示した。
【００９０】
その他各部の処理は実施形態４と同様である。
【００９１】
<実施形態５：効果>
【００９２】
本実施形態は、送信側携帯電話機の有する圧力センサ器の感知する圧力の大きさに応じて、受信側携帯電話機にて非音声出力の強度が制御されることに特徴を有する携帯電話ぬくもりシステムである。本システムは、送信側携帯電話機に加える圧力に応じて受信側携帯電話機の出力強度を制御することによって、より自身の存在を示すことができる。また、送信側と受信側でともに同じ時間を共有していることを感じることができる。さらに、出力強度を制御できることで送信側携帯電話機の利用者の意思や感情をより直接的に伝達することが可能となる。
【００９３】
<<実施形態６>>
【００９４】
<実施形態６：概要>  実施形態６について説明する。本実施形態は、送信側携帯電話機の有する振動センサ器の感知する振動の大きさに応じて、受信側携帯電話機にて非音声出力の強度が制御されることに特徴を有する携帯電話ぬくもりシステムである。
【００９５】
<実施形態６：構成>  本実施形態での機能ブロックの一例を図８に示す。
【００９６】
図８に示す本実施形態の「携帯電話ぬくもりシステム」（０８００）は、「送信側携帯電話機」（０８１０）と、「受信側携帯電話機」（０８２０）とからなる。一方、送信側携帯電話機（０８１０）は、「入力部」（０８１１）と、「非音声出力制御信号生成部」（０８１２）と、「非音声出力制御信号送信部」（０８１３）とを有し、入力部（０８１１）は「強度入力手段」（０８１４）を、非音声出力制御信号生成部（０８１２）は「非音声出力強度制御信号生成手段」（０８１５）を、非音声出力制御信号送信部（０８１３）は「非音声出力強度制御信号送信手段」（０８１６）を有し、さらに、強度入力手段（０８１４）は「振動センサ器」（０８１７）を有する。他方、受信側携帯電話機（０８２０）は、「非音声出力制御信号」（０８２１）と、「非音声出力部」（０８２２）とを有し、非音声出力制御信号（０８２１）は「非音声出力強度制御信号受信手段」（０８２３）を、非音声出力部（０８２２）は「非音声出力強度制御手段」（０８２４）を有する。
【００９７】
「振動センサ器」（０８１７）は、振動を感知してその強度を計測する。振動センサ器は、携帯電話機の本体に内蔵されている場合などが想定される。携帯電話機を揺する等することで振動センサ器が振動を感知する。
【００９８】
「非音声出力強度制御信号生成手段」（０８１５）は、前記振動センサ器（０８１７）で感知する振動の大きさに応じて前記非音声出力の強度が大きくなる非音声出力強度制御信号を生成する。つまり、送信側携帯電話機の振動センサ器が強い振動を感知するほど、受信側携帯電話機では高い強度にて非音声出力が制御される。例えば、送信側携帯電話機を強く振れば振るほど、受信側携帯電話機では強く発光機能が作用し、ランプが明るく点灯する。図９に、上記一例を模式的に示した。
【００９９】
その他各部の処理は実施形態４と同様である。
【０１００】
<実施形態６：効果>
【０１０１】
本実施形態は、送信側携帯電話機の有する振動センサ器の感知する振動の大きさに応じて、受信側携帯電話機にて非音声出力の強度が制御されることに特徴を有する携帯電話ぬくもりシステムである。本システムは、送信側携帯電話機に加える振動に応じて受信側携帯電話機の出力強度を制御することによって、より自身の存在を示すことができる。また、送信側と受信側でともに同じ時間を共有していることを感じることができる。さらに、出力強度を制御できることで送信側携帯電話機の利用者の意思や感情をより直接的に伝達することが可能となる。
【０１０２】
<<実施形態７>>
【０１０３】
<実施形態７：概要>  実施形態７について説明する。本実施形態は、振動センサ器は、着信バイブレータ用モータであることに特徴を有する携帯電話ぬくもりシステムである。
【０１０４】
<実施形態７：構成>  本実施形態での機能ブロックの一例はすでに図８に示したものと同様である。
【０１０５】
図８に示す本実施形態の「携帯電話ぬくもりシステム」（０８００）は、「送信側携帯電話機」（０８１０）と、「受信側携帯電話機」（０８２０）とからなる。一方、送信側携帯電話機（０８１０）は、「入力部」（０８１１）と、「非音声出力制御信号生成部」（０８１２）と、「非音声出力制御信号送信部」（０８１３）とを有し、入力部（０８１１）は「強度入力手段」（０８１４）を、非音声出力制御信号生成部（０８１２）は「非音声出力強度制御信号生成手段」（０８１５）を、非音声出力制御信号送信部（０８１３）は「非音声出力強度制御信号送信手段」（０８１６）を有し、さらに、強度入力手段（０８１４）は「振動センサ器」（０８１７）を有する。他方、受信側携帯電話機（０８２０）は、「非音声出力制御信号」（０８２１）と、「非音声出力部」（０８２２）とを有し、非音声出力制御信号（０８２１）は「非音声出力強度制御信号受信手段」（０８２３）を、非音声出力部（０８２２）は「非音声出力強度制御手段」（０８２４）を有する。
【０１０６】
「振動センサ器」（０８１７）は、着信バイブレータ用モータである。携帯電話機を揺すって着信バイブレータ用モータを振動させることで、モータに起電力が発生するとしてもよい。
【０１０７】
その他各部の処理は実施形態６と同様である。
【０１０８】
<実施形態７：効果>
【０１０９】
本実施形態は、振動センサ器は、着信バイブレータ用モータであることに特徴を有する。着信バイブレータ用モータを振動させることで、モータに起電力を発生させることができれば、本システムを利用するために携帯電話機を揺することで充電も可能となり利便性が高い。
【図面の簡単な説明】
【０１１０】
【図１】実施形態１を説明するための概念図
【図２】実施形態１を説明するための機能ブロック図
【図３】実施形態１の処理の流れを説明する図
【図４】実施形態４を説明するための機能ブロック図
【図５】実施形態４の処理の流れを説明する図
【図６】実施形態５を説明するための機能ブロック図
【図７】実施形態５を説明するための図
【図８】実施形態６を説明するための機能ブロック図
【図９】実施形態６を説明するための図
【符号の説明】
【０１１１】
０２００    携帯電話ぬくもりシステム
０２１０    送信側携帯電話機
０２１１    入力部
０２１２    非音声出力制御信号生成部
０２１３    非音声出力制御信号送信部
０２２０    受信側携帯電話機
０２２１    非音声出力制御信号受信部
０２２２    非音声出力部
【図１】
2005217824.tif 000003
【図２】
2005217824.tif 000004
【図３】
2005217824.tif 000005
【図４】
2005217824.tif 000006
【図５】
2005217824.tif 000007
【図６】
2005217824.tif 000008
【図７】
2005217824.tif 000009
【図８】
2005217824.tif 000010
【図９】
2005217824.tif 000011